(57)【特許請求の範囲】
【請求項１】
ダーツの先端に形成されたティップを保持するティップ孔が少なくとも一つ形成されたターゲット面が前方に形成され、前記ターゲット面と垂直な断面が略凹状に形成されるとともに、後方に開口する開口部を備えるセグメントを有するダーツ装置のティップ捕捉構造であって、
前記開口部の開口形状と略同一の形状の捕捉部材を前記開口部から装入され、
前記セグメントは、前記ターゲット面の縁部から立設する側壁が、前記ターゲット面の全周に形成され、前記捕捉部材が前記側壁の後方端よりも突出して装入されることを特徴とするティップ捕捉構造。
【請求項２】
前記後方端には、マトリックスシートを押圧することにより計数動作を行う凸部が形成され、前記捕捉部材は、前記凸部の計数動作の誤作動を防止する逃げ部が形成されることを特徴とする請求項１に記載のティップ捕捉構造。
【請求項３】
前記逃げ部は、前記捕捉部材の後方端の全周を面取り加工することで形成されることを特徴とする請求項２に記載のティップ捕捉構造。
【発明の詳細な説明】
【技術分野】
【０００１】
本発明は、ダーツ装置のティップ捕捉構造に係り、特に、ティップが樹脂で形成されたソフトダーツのティップの捕捉構造に関する。
【背景技術】
【０００２】
一般に、ダーツの標的（ターゲット面）は、円を放射状に２０等分した三角状エリアと、その外側のアウトエリアとを備え、該アウトエリアには、前記三角状エリアを区別する１から２０の数字が振られ、三角状エリアには、その中心部にダブルブルとシングルブルが形成され、該ブルと同心円状にトリプルリング（内側）とアウトエリアに外接するダブルリング（外側）が形成され、かつ、ブルとトリプルリングとの間、トリプルリングとダブルリングの間にそれぞれシングルエリアが形成されている。
【０００３】
また、これら得点エリアがダーツ先端の樹脂製のティップを受け入れる多数の孔を有するセグメントで構成され、セグメントが、ダーツの命中に伴って該セグメントの後方に配置されたマトリックスシートを押圧することで、制御部に信号を出力して得点が計算され、モニター画面に得点情報を表示させることができるソフトダーツ装置が知られている。
【０００４】
ここで、セグメントは種々の形態のものが知られているが、広く用いられているセグメントは、ターゲット面を底面とし、ターゲット面の縁部から側壁が縁部全周にわたって立設して形成され、ターゲット面と対向する面（後方端）が開口した略凹状に形成されている。また、この側壁の開口端には、凸部が形成されており、該凸部がマトリックスシートの所定の位置を押圧することができるようになっている。
【０００５】
さらに、このようなソフトダーツ装置は、ダーツマシン筐体にセグメントを保持・区分するスパイダーがセグメントと共にバックボードに配置固定されており、セグメントとバックボードとの間には、マトリックスシートが介在されている。さらに、マトリックスシートとセグメントの間には、セグメントがマトリックスシートに直接当接することを防止するためのゴムシートが介在している。
【０００６】
このようなソフトダーツ装置としては、下記特許文献１に記載されたものが知られている。
【先行技術文献】
【特許文献】
【０００７】
【特許文献１】特開２００８−５８５６号公報
【発明の概要】
【発明が解決しようとする課題】
【０００８】
しかし、特許文献１に記載されたソフトダーツ装置のような、現在広く知られているソフトダーツ装置にあっては、ダーツ先端が樹脂製のティップで形成されているため、金属製の矢で構成されるハードダーツよりも安全であるが、上述したように、ダーツ先端のティップをセグメントの孔に差し込むようにダーツを投擲して得点を競うものであるため、ティップが折れて該孔内に残留してしまう場合があり、これを除去するためにメンテナンスを行う必要がある。
【０００９】
このメンテナンスの方法は、ダーツマシン筐体からスパイダー及びセグメントを保持しているバックボードを取外し、ティップの残留したセグメントをバックボードから取外した後、該セグメントから一つずつ折れたティップを除去する必要があり、非常に手間の掛かる作業であった。
【００１０】
また、このようなメンテナンス作業の他、ソフトダーツ装置を設置したまま、セグメントの分解作業を行わずにセグメントのターゲット面側からティップリムーバと呼ばれる前記セグメントの孔よりも細径の棒状工具を差し込むことで、折れたティップをセグメント内に押し込み、セグメントの孔から折れたティップの除去が行われる場合もあった。
【００１１】
しかし、このような折れたティップの除去方法によると、折れたティップをセグメント内に押し込んでいるため、該折れたティップがセグメントとスパイダーの間やセグメントとマトリックスシートの間などに挟まってしまい、誤作動によりダーツの命中を確実に判定することができなくなるという問題があった。
【００１２】
また、このようなソフトダーツ装置は、ダーツをターゲット面に対して投擲して、セグメントの孔にダーツを差し込むものであるため、ダーツがターゲット面に命中する際に大きな音が発生する場合があり、これらの騒音を抑制することが望まれていた。
【００１３】
本発明は、上記課題を解決するために成されたものであって、ソフトダーツ装置の折れたティップによる誤作動を防止すると共に、ダーツ命中時の騒音を抑制することができるダーツ装置のティップ捕捉構造およびこれに用いられるティップ捕捉部材を提供することを目的とする。
【課題を解決するための手段】
【００１４】
上記課題を解決する本発明に係るティップ捕捉構造は、ダーツの先端に形成されたティップを保持するティップ孔が少なくとも一つ形成されたターゲット面が前方に形成され、前記ターゲット面と垂直な断面が略凹状に形成されるとともに、後方に開口する開口部を備えるセグメントを有するダーツ装置のティップ捕捉構造であって、前記開口部の開口形状と略同一の形状の捕捉部材を前記開口部から装入され、前記セグメントは、前記ターゲット面の縁部から立設する側壁が、前記ターゲット面の全周に形成され、前記捕捉部材が前記側壁の後方端よりも突出して装入されることを特徴とする。
【００１６】
さらに、本発明に係るティップ捕捉構造は、前記後方端には、マトリックスシートを押圧することにより計数動作を行う凸部が形成され、前記捕捉部材は、前記凸部の計数動作の誤作動を防止する逃げ部が形成されると好適である。
【００１７】
またさらに、本発明に係るティップ捕捉構造は、前記逃げ部は、前記捕捉部材の後方端の全周を面取り加工することで形成されると好適である。
【発明の効果】
【００２０】
本発明によれば、ティップリムーバによって折れたティップをセグメント内に押し込んだ場合であっても、折れたティップによる誤作動を防止することができるダーツ装置のティップ捕捉構造及びダーツ装置のティップ捕捉部材を提供することができる。
【００２１】
また、本発明によれば、捕捉部材が側壁の後方端よりも突出して装入されているので、ダーツ命中時の騒音を抑制することができる。
【００２２】
さらに、本発明によれば、捕捉部材に凸部の計数動作の誤作動を防止する逃げ部が形成されているので、捕捉部材が計数動作を妨げることなく、ダーツ命中時の騒音を抑制することができる。
【００２３】
また、本発明によれば、現在、広く普及している後方に開口するセグメントに無改造で捕捉部材を取り付けることができる。
【発明を実施するための形態】
【００２４】
以下、本発明に係るダーツ装置のティップ捕捉構造及びティップ捕捉部材について図面を参照しつつ説明する。なお、以下の実施の形態は、各請求項に係る発明を限定するものではなく、また、実施形態の中で説明されている特徴の組み合わせの全てが発明の解決手段に必須であるとは限らない。
【００２５】
図１は、本実施形態に係るダーツ装置を示す斜視図であり、図２は、本実施形態に係るダーツ装置の構造を説明するための断面図であり、図３は、本実施形態に係るダーツ装置のセグメントの後方の構造を説明するための斜視図であり、図４は、本実施形態に係る捕捉部材を説明するための図であり、図５は、本実施形態に係るティップ捕捉構造を説明するための断面図である。なお、図２及び図５において、紙面の左側を後方、右側を前方として説明する。
【００２６】
図１に示すように、本実施形態に係るダーツ装置１０は、脚部１３から取外し自在に取り付けられた木製またはＦＲＰ製のダーツマシン筐体２３と、ダーツマシン筐体２３にセグメント３０を保持・区分するスパイダー２２がセグメント３０と共にバックボード２４が取り付けられている。
【００２７】
セグメント３０は、スパイダー２２によって円を放射状に２０等分した三角状エリアを形成するように配列されている。また、三角状エリアの外側は、円周状のアウトエリアを形成している。
【００２８】
次に図２を参照して本実施形態に係るダーツ装置１０の構造について説明する。図２に示すように、セグメント３０は、スパイダー２２によってバックボード２４に固定されており、バックボード２４は、ダーツマシン筐体２３に取り付けられている。また、スパイダー２２とバックボード２４との間には、セグメント３０に形成された凸部３１によって押圧されることで、ダーツの命中の計数動作を判定するマトリックスシート５１が介在されており、該マトリックスシート５１とセグメント３０との間には、ゴムシート５０が介在され、セグメント３０の凸部３１が直接マトリックスシート５１を押圧することによるマトリックスシート５１の破損・損傷を防止することができるようになっている。また、後述するように、セグメント３０の凹部には、捕捉部材４０が装入されている。
【００２９】
このように形成された本実施形態に係るダーツ装置１０は、前方から投擲されたダーツ１１がセグメント３０に命中することにより、ダーツ１１の先端に形成された樹脂製のティップ１２がティップ孔３２に差し込まれ、このダーツ１１の命中に伴って、セグメント３０の凸部３１がマトリックスシート５１を押圧することにより、計数動作を行って、ゲームの得点計算を行うことができるようになっている。
【００３０】
次に、図３を参照して、本実施形態に係るダーツ装置１０のセグメント３０の構造について説明する。図３は、本実施形態に係るダーツ装置１０のセグメント３０の後方の形状を説明するために、後方端の状態を表したものであり、この記載によりセグメント３０の使用の状態が限定されることはない。なお、この後方端が開口したセグメント３０は、現在、我が国において広く普及しているセグメントの形状を示したものである。
【００３１】
セグメント３０は、複数のティップ孔３２が穿孔されたターゲット面３４と、このターゲット面３４の縁部から立設する側壁３３が前記縁部の全周にわたって形成されることによりターゲット面３４と垂直な断面形状が略凹状に形成されており、この側壁３３の端部３５が図２における後方に開口する開口部を形成している。また、側壁３３の前記端部３５には複数の凸部３１が形成されている。この凸部３１は、各辺に２個ずつ合計、８個形成されている。さらに、この凸部３１の数については、計数動作の精度等を考慮して適宜変更することができる。また、図３では、三角状エリアを構成するセグメント３０の一例の形状について説明したが、三角状エリアは、円形、三角形など、種々の形状のセグメントによって構成されるが、セグメント３０の形状は図３のような形状に限定されず、三角状エリアを構成する他のセグメント３０も同様の構造を有する。
【００３２】
次に、図４を参照して、本実施形態に係るダーツ装置１０の捕捉部材４０の構造について説明する。図４に示すように、捕捉部材４０は図３に示すセグメント３０の開口形状と略同一の形状を有しており、弾性を有する材料によって形成されている。捕捉部材４０の材料としては、ウレタンやスポンジが好適であるが、発泡スチロールやダンボール等の紙や木材などによって形成することもできる。
【００３３】
また、捕捉部材４０の一端面には、その全周にわたって逃げ部４１が形成されており、逃げ部４１は、捕捉部材４０の角部を面取りすることにより形成されている。
【００３４】
次に、図５を参照して、本実施形態に係るダーツ装置１０のティップ捕捉構造について説明する。
【００３５】
図５に示すように、捕捉部材４０は、セグメント３０の後方の開口部からセグメント３０に装入されている。捕捉部材４０はセグメント３０の凹部内に密着するように、セグメント３０の開口形状よりも若干大きく形成されており、捕捉部材４０の弾性力により側壁３３と密着して固定されている。
【００３６】
このように、側壁３３に密着して捕捉部材４０を装入しているので、ダーツ１１の命中により折れたティップ１２がティップ孔３２に残留し、ティップ１２をティップリムーバによってターゲット面３４側からセグメント３０の内部に押し込んでティップを除去しても、該ティップをセグメント３０内に捕捉することができるので、セグメント３０とスパイダー２２やマトリックスシート５１との間にティップ１２が侵入して計数動作の誤作動を生じることを防止することができる。
【００３７】
さらに、捕捉部材４０は、捕捉部材４０とターゲット面３４との間に適当な空間を形成するように装入されている。このように、捕捉部材４０とターゲット面３４との間に空間を形成すれば、該空間内に多くのティップ１２を収容することができる。
【００３８】
また、捕捉部材４０は、セグメント３０の後方端３５から突出して取り付けられているので、ダーツ１１の命中に伴って凸部３１がマトリックスシート５１を押圧する際の騒音を抑制することができる。さらに、捕捉部材４０には、逃げ部４１が形成されているので、凸部３１がマトリックスシート５１を押圧する動作を妨げることがない。
【００３９】
このように、本実施形態に係る捕捉部材４０は、従来から広く普及している、後方が開口したセグメント３０に無改造で取り付けることができるので、容易且つ安価に従来のダーツ装置にティップ捕捉構造を構成することができる。
【００４０】
以上、本発明の好適な実施形態について説明したが、本発明の技術的範囲は上記実施形態の記載に限定されない。上記実施形態には、多様な変更又は改良を加えることが可能である。
【００４１】
例えば、上記実施形態においては、ターゲット面３４と捕捉部材４０との間には適当な空間を形成するように装入した場合について説明したが、このような空間を形成せずに、捕捉部材４０をターゲット面３４の後方面に当接させて装入しても構わない。
【００４２】
その様な変更又は改良を加えた形態も本発明の技術的範囲に含まれ得ることが、特許請求の範囲の記載から明らかである。
【図面の簡単な説明】
【００４３】
【図１】本発明に係るダーツ装置を示す斜視図である。
【図２】本発明に係るダーツ装置の構造を説明するための断面図である。
【図３】本発明に係るダーツ装置のセグメントの後方の構造を説明するための斜視図である。
【図４】本発明に係る捕捉部材を説明するための図である。
【図５】本発明に係るティップ捕捉構造を説明するための断面図である。
【符号の説明】
【００４４】
１０  ダーツ装置，
１１  ダーツ，
１２  ティップ，
１３  脚部
２３  ダーツマシン筐体，
２４  バックボード，
３０  セグメント，
３１  凸部，
３２  ティップ孔，
３３  側壁，
３４  ターゲット面，
４０  捕捉部材，
４１  逃げ部，
５０  ゴムシート，
５１  マトリックスシート。
【図１】
0005558749.tif 000002
【図２】
0005558749.tif 000003
【図３】
0005558749.tif 000004
【図４】
0005558749.tif 000005
【図５】
0005558749.tif 000006